(57)【要約】      （修正有）【課題】製造が容易で安価に提供でき、腕が疲れない態勢で随時鼻や口を覆ったり外したりでき、利用後に唾液の付着し易い部分を表面に晒さないようにすることができる唾液飛散防止装置を提供する。【解決手段】左方切り込み線６、右方切り込み線７、左折り曲げ線１０、右折り曲げ線１１、左方差し込み線１６及び右方差し込み線１７を有するコート紙からなる唾液飛散防止装置であって、両切り込み線６、７の下部を中央線１８側に折り曲げるとともに、左方差し込み線に右方差し込み線を差し込んで、両折り曲げ線１０、１１に沿って折り畳むことで、下部中央に把持部２０が形成される。把持部を手で持って上辺の中央部を鼻の上に当てると、鼻の穴及び口をコート紙の上面で覆うことができる。また内側面を上下に折り畳んで固定する手段を設けることで、衛生的に廃棄できる。【選択図】図２
0003228832.tif 000002
【実用新案登録請求の範囲】
【請求項１】
左辺、右辺、上辺及び下辺を有する柔軟性のある板状体からなる唾液飛散防止装置であって、
前記板状体の上下方向の中央線に直交する直線と前記左辺及び前記右辺との交点である左辺点及び右辺点と、前記中央線又は前記中央線に平行で前記中央線の近傍にある中央近傍直線に対して対称で前記板状体の中央部付近に配置された左方点及び右方点を有し、
前記左辺点と前記右辺点との距離は、前記左方点と前記右方点との距離の１．８倍以上５倍以内であり、
前記左辺点から前記左方点まで切断されている左方切り込み線と、前記右辺点から前記右方点まで切断されている右方切り込み線が設けられている
ことを特徴とする唾液飛散防止装置。
【請求項２】
前記中央線又は前記中央近傍直線に対して対称で前記下辺に配置された左下辺点及び右下辺点を有し、
前記左下辺点と前記右下辺点との距離は、前記左方点と前記右方点との距離以下であり、
前記左下辺点から前記左方点まで延びる左折り曲げ線と、前記右下辺点から前記右方点まで延びる右折り曲げ線が設けられている
ことを特徴とする請求項１に記載の唾液飛散防止装置。
【請求項３】
前記中央線上又は前記中央近傍直線上であって前記板状体の下部にある点を所定点とし、前記左折り曲げ線に対して前記所定点と対称な位置にある左差し込み終点と、前記右折り曲げ線に対して前記所定点と対称な位置にある右差し込み終点を有し、
前記下辺の前記左下辺点より左側に配置された左差し込み始点と前記右方切り込み線上に配置された右差し込み始点又は前記下辺の前記左方切り込み線上に配置された左差し込み始点と前記下辺の前記右下辺点より右側に配置された右差し込み始点を有し、
前記左差し込み始点から少なくとも前記左差し込み終点まで切断されている左方差し込み線と、前記右差し込み始点から少なくとも前記右差し込み終点まで切断されている右方差し込み線が設けられている
ことを特徴とする請求項２に記載の唾液飛散防止装置。
【請求項４】
前記板状体の上部に設けられた上部保持部材と、前記板状体の下部に設けられ、前記上部保持部材を固定する固定手段を有している下部保持部材を備えている
ことを特徴とする請求項１〜３のいずれかに記載の唾液飛散防止装置。
【考案の詳細な説明】
【技術分野】
【０００１】
本考案は、手持ち式の唾液飛散防止装置に関するものである。
【背景技術】
【０００２】
従来、必要な時にマスクやフェイスシールド状のものを持ち、口の周りや顔面を覆って、煙を吸い込まないようにしたり、飛沫の拡散を防止したりすることが知られている。
例えば、特許文献１（実開昭５９−１１００１５号公報）には、把持部(5)(6)に、回動軸(3)を中心にして左右同一形状で、使用時における全体形状が把持部(5)(6)の上端部を頂点とし底辺部を開放した山形状に形成してなる脱煙部(1)を設けたことを特徴とする携帯用エアークリーンが開示され（特に第１図及び第３図を参照）、特許文献２（特開２００１−２１８８５９号公報）には、マスク本体(11)を手で持ち、必要な場合に口や鼻を覆うことのできる折り畳み可能な手持ちマスクが開示されている（特に要約を参照）。
また、非特許文献１＜ＵＲＬ，https://www.zapp.jp/shopdetail/000000001064/＞によれば、ＰＥＴ製透明板の下辺部に把手を設けた手持ちタイプのフェイスシールドが販売されていることが見てとれる。
【０００３】
しかし、特許文献１に開示されている携帯用エアークリーンは、把持部(2)と回動軸(3)を備え、さらに把持部(2)の端部にストッパー(4)が形成されているため、製造に手間がかかり、各種の材料を用意する必要があるため、安価に提供することができない。
また、特許文献２に開示されている第１の実施例に係る手持ちマスク(10)（図１、２）及び第２の実施例に係る手持ちマスク(20)（図３、４）は、手のひらで直接マスク本体(11)及び(11A)を鼻や頬に押し当てるようになっているため、マスクを落とし易く、長時間マスクを押し当てていると腕が疲れてしまう。
そして、特許文献２に開示されている第３の実施例に係る手持ちマスク(30)（図５及び６）は、手持ち部となる開口部(11c)を有しており、第５の実施例に係る手持ちマスク(50)（図１０、１１）は、手持ち部となる手掛け紐(14)を取り付けているため、マスクを落としにくくなってはいるが、長時間マスクを押し当てていると腕が疲れてしまう点は、第１、２の実施例と変わりなく、逆に開口部(11c)に手を差し込んだり、手掛け紐(14)に指先を通したりするため、両手を使って飲食等をしたい場合には、開口部(11c)から手を抜いたり、手掛け紐(14)から指先を外したりする必要がある。
さらに、非特許文献１の手持ちタイプのフェイスシールドは透明で使い勝手も良いものではあるが、値段が張るため使い捨てるのはもったいなく、再利用する場合には全体を消毒する必要があるため手間がかかる。
【先行技術文献】
【特許文献】
【０００４】
【特許文献１】実開昭５９−１１００１５号公報
【特許文献２】特開２００１−２１８８５９号公報
【非特許文献】
【０００５】
【非特許文献１】＜ZAPP ONLINE SHOP  フェイスシールド(手持ちタイプ)      インターネット：ＵＲＬ，https://www.zapp.jp/shopdetail/000000001064/＞
【考案の概要】
【考案が解決しようとする課題】
【０００６】
本考案は、上記の問題を解決し、製造に手間がかからず安価に提供でき、腕が疲れない態勢で鼻や口を覆うことができるとともに、随時外して両手を使った飲食等を行うことが可能な唾液飛散防止装置を提供することを第１の課題とする。
また、唾液飛散防止装置を誰でも容易に作って利用できるようにすること及び作成した唾液飛散防止装置が利用可能な状態に保持されるようにすることを第２の課題とする。
さらに、唾液飛散防止装置を利用した後に、唾液の付着し易い部分を表面に晒さないようにすることを第３の課題とする。
【課題を解決するための手段】
【０００７】
請求項１に係る考案は、左辺、右辺、上辺及び下辺を有する柔軟性のある板状体からなる唾液飛散防止装置であって、
前記板状体の上下方向の中央線に直交する直線と前記左辺及び前記右辺との交点である左辺点及び右辺点と、前記中央線又は前記中央線に平行で前記中央線の近傍にある中央近傍直線に対して対称で前記板状体の中央部付近に配置された左方点及び右方点を有し、
前記左辺点と前記右辺点との距離は、前記左方点と前記右方点との距離の１．８倍以上５倍以内であり、
前記左辺点から前記左方点まで切断されている左方切り込み線と、前記右辺点から前記右方点まで切断されている右方切り込み線が設けられていることを特徴とする。
【０００８】
請求項２に係る考案は、請求項１に記載の唾液飛散防止装置において、
前記中央線又は前記中央近傍直線に対して対称で前記下辺に配置された左下辺点及び右下辺点を有し、
前記左下辺点と前記右下辺点との距離は、前記左方点と前記右方点との距離以下であり、
前記左下辺点から前記左方点まで延びる左折り曲げ線と、前記右下辺点から前記右方点まで延びる右折り曲げ線が設けられていることを特徴とする。
【０００９】
請求項３に係る考案は、請求項２に記載の唾液飛散防止装置において、
前記中央線上又は前記中央近傍直線上であって前記板状体の下部にある点を所定点とし、前記左折り曲げ線に対して前記所定点と対称な位置にある左差し込み終点と、前記右折り曲げ線に対して前記所定点と対称な位置にある右差し込み終点を有し、
前記下辺の前記左下辺点より左側に配置された左差し込み始点と前記右方切り込み線上に配置された右差し込み始点又は前記下辺の前記左方切り込み線上に配置された左差し込み始点と前記下辺の前記右下辺点より右側に配置された右差し込み始点を有し、
前記左差し込み始点から少なくとも前記左差し込み終点まで切断されている左方差し込み線と、前記右差し込み始点から少なくとも前記右差し込み終点まで切断されている右方差し込み線が設けられていることを特徴とする。
【００１０】
請求項４に係る考案は、請求項１〜３のいずれかに記載の唾液飛散防止装置において、
前記板状体の上部に設けられた上部保持部材と、前記板状体の下部に設けられ、前記上部保持部材を固定する固定手段を有している下部保持部材を備えていることを特徴とする。
【考案の効果】
【００１１】
請求項１に係る考案の唾液飛散防止装置は、左辺点から左方点まで切断されている左方切り込み線と、右辺点から右方点まで切断されている右方切り込み線が設けられているので、左方切り込み線及び右方切り込み線の下部を、それぞれ中央線側に折り畳むか丸めることによって、誰でも容易に一枚の平板である唾液飛散防止装置の下部中央又は下部中央付近に把持部を形成することができる。
そして、その把持部を片手で持ち、装置上面を顔の前にかざせるので、腕が疲れない態勢で自身の鼻や口を覆うことができるとともに、随時唾液飛散防止装置を外し、両手を使った飲食や各種作業等を行うことができる。
また、同唾液飛散防止装置は、一枚の左辺、右辺、上辺及び下辺を有する柔軟性のある板状体に、左方切り込み線と右方切り込み線を設けるだけの単純な構造であるため、製造に手間がかからず安価に提供できる。
さらに、使用前の状態は薄い一枚の平板であるから、多数の唾液飛散防止装置をコンパクトに積み重ねておくことができ、かつ、使用後は畳んで捨てるだけで良いので、再利用の手間がかからず衛生的である。
【００１２】
請求項２に係る考案によれば、請求項１に係る考案の唾液飛散防止装置による効果に加えて、左下辺点から左方点まで延びる左折り曲げ線と、右下辺点から右方点まで延びる右折り曲げ線が設けられているので、左折り曲げ線及び右折り曲げ線に沿って、それぞれ左方切り込み線の下部及び右方切り込み線の下部を中央線側に折り畳むだけで、中央線又は中央近傍直線に対して対称形の把持部を容易に形成することができる。
また、左折り曲げ線及び右折り曲げ線に沿って一回折り畳んだ後は、折り畳まれた状態が保持され易くなるので、唾液飛散防止装置を外してテーブルの上に置いても、すぐに把持部を片手で持って、再度装置上面を顔の前にかざすことができる。
【００１３】
請求項３に係る考案によれば、請求項２に係る考案の唾液飛散防止装置による効果に加えて、左差し込み始点から少なくとも左差し込み終点まで切断されている左方差し込み線と、右差し込み始点から少なくとも右差し込み終点まで切断されている右方差し込み線が設けられているので、左方差し込み線に右方差し込み線を差し込み、左折り曲げ線及び右折り曲げ線に沿って折り曲げて左差し込み終点と右差し込み終点を合致させることで、把持部がいつでも利用可能な状態に保持される。
【００１４】
請求項４に係る考案によれば、請求項１〜４のいずれかに係る考案の唾液飛散防止装置による効果に加えて、上部保持部材とその上部保持部材を固定する固定手段を有している下部保持部材を備えているため、唾液飛散防止装置を利用した後、廃棄する際に装置の上面を下方に折り畳んだ状態で、上部保持部材と下部保持部材とを固定でき、唾液の付着し易い部分が表に晒されることがなく、より衛生的である。
【図面の簡単な説明】
【００１５】
【図１】実施例１に係る唾液飛散防止装置の使用前における平面図。
【図２】実施例１に係る唾液飛散防止装置の使用時における平面図。
【図３】実施例２に係る唾液飛散防止装置の使用前における平面図。
【図４】実施例２に係る唾液飛散防止装置の廃棄時における平面図。
【図５】実施例３に係る唾液飛散防止装置の使用前における平面図。
【図６】実施例３に係る唾液飛散防止装置の組み立て中における平面図。
【図７】実施例３に係る唾液飛散防止装置の使用時における平面図。
【図８】各種変形例に係る唾液飛散防止装置の使用前における平面図。
【考案を実施するための形態】
【００１６】
以下、実施例によって本考案の実施形態を説明する。
【実施例１】
【００１７】
図１は実施例１に係る唾液飛散防止装置の使用前における平面図である。
図１に示すとおり、実施例１に係る唾液飛散防止装置は、縦２００ｍｍ、横１８２ｍｍの長方形状のコート紙１からなり、左辺及び右辺の上辺から１０５ｍｍの箇所を、それぞれ左辺点２及び右辺点３とし、左辺点２と右辺点３を結ぶ線分上で左辺及び右辺から５０ｍｍの箇所を、それぞれ左方点４及び右方点５として、左辺点２から左方点４まで切断されている左方切り込み線６と右辺点３から右方点まで切断されている右方切り込み線７が設けられている。
また、下辺上の中央から左側及び右側へ３３ｍｍ離れた箇所を、それぞれ左下辺点８及び右下辺点９として、左下辺点８から左方点４まで延びる左折り曲げ線１０と右下辺点９から右方点５まで延びる右折り曲げ線１１が設けられている。
さらに、下辺上の左端から右側へ１８ｍｍ離れた箇所を左差し込み始点１２、右方切り込み線７上の右辺点３から左側へ１８ｍｍ離れた箇所を右差し込み始点１３、左差し込み始点１２から真上へ４２ｍｍ離れた箇所を左差し込み終点１４、右差し込み始点１３から真下へ５６ｍｍ離れた箇所を右差し込み終点１５として、左差し込み始点１２から左差し込み終点１４まで切断されている左方差し込み線１６と、右差し込み始点１３から右差し込み終点１５まで切断されている右方差し込み線１７が設けられている。
そして、左折り曲げ線１０に対して左差し込み終点１４と対称な点は、コート紙１の中央線１８上の所定点１９と合致するようになっているとともに、右折り曲げ線１１に対して右差し込み終点１５と対称な点も、所定点１９と合致するようになっている。
なお、中央線１８及び所定点１９は、いずれも仮想線及び仮想点であり、コート紙１に記入等がされているものではない。
【００１８】
実施例１に係る唾液飛散防止装置の製造は、以下の手順で行う。
（１）厚さ０．２ｍｍ程度で、一方の面（利用者の手前側になる面）はある程度の吸水性を有し、他方の面には撥水加工が施されている長方形状のコート紙１（縦２００ｍｍ以上、横１８２ｍｍ以上）を用意する。
（２）図１の実線部分が切断されるように打ち抜く。
なお、コート紙１が縦２００ｍｍ、横１８２ｍｍである場合には、左方切り込み線６、右方切り込み線７、左方差し込み線１６及び右方差し込み線１７が形成されるように打ち抜けば良い。
（３）図１に点線で示す部分（左折り曲げ線１０及び右折り曲げ線１１）が内側に折り曲げられるように折り目をつける。
【００１９】
図２は実施例１に係る唾液飛散防止装置の使用時における平面図である。
実施例１に係る唾液飛散防止装置を使用するに際しては、左方切り込み線６の下部及び右方切り込み線７の下部を中央線１８側に折り曲げるとともに、左方差し込み線１６に右方差し込み線１７を差し込んで、左折り曲げ線１０及び右折り曲げ線１１に沿って完全に折り畳むと、左差し込み終点１４と右差し込み終点１５が合致して、所定点１９の上に重なり、図２に示すように、唾液飛散防止装置の下部中央に把持部２０が形成される。
そして、把持部２０の裏側に４本の指を当て手前側の所定点１９付近を親指で押さえるか、左折り曲げ線１０に４本の指を掛け把持部２０全体を掌で包むように持つと、唾液飛散防止装置全体が弧状に曲がるので、上辺の中央部を鼻の上に当てると鼻の穴及び口が唾液飛散防止装置の上面によって覆われるので、その状態で会話をしたり、クシャミをしたりしても唾液が前方に飛散するのを防ぐことができ、ウィルス等の感染防止に役立つ。
【実施例２】
【００２０】
図３は実施例２に係る唾液飛散防止装置の使用前における平面図である。
実施例２に係る唾液飛散防止装置は、実施例１の上辺が弧状になっているコート紙２１からなっている点、コート紙２１の上辺の中央部付近に上底２２ｍｍ、下底１４ｍｍ、高さ１７ｍｍの台形状のガイド部２２が設けられている点、ガイド部２２の下底の両端からコート紙２１の左辺及び右辺の上端付近まで延びる左上部折り曲げ線２３及び右上部折り曲げ線２４が設けられている点及びコート紙２１の下辺中央の５ｍｍ上側に中央線１８と直交する長さ４０ｍｍのスリット部２５が設けられている点で、実施例１に係る唾液飛散防止装置と相違している。
そして、これらの相違点以外の実施例１と同じ構成要素に対しては、図３においても図１に示す番号と同じ番号を付し、それらの構成要素については説明を省略する。
実施例２に係る唾液飛散防止装置を使用するに際しては、左上部折り曲げ線２３及び右上部折り曲げ線２４に沿って、コート紙２１の上端部を手前側に４５度程度折り曲げた後、実施例１と同様の手順で唾液飛散防止装置の下部中央に把持部２０を形成し、右手又は左手で把持部２０をつかみ、ガイド部２２を鼻の上に当てる。
そうすると、ガイド部２２の両側にコート紙２１の上端部がせり出しているので、その先端が頬の上部に密着し唾液が前方に飛散するのをより良く防ぐことができる。
【００２１】
図４は実施例２に係る唾液飛散防止装置の廃棄時における平面図である。
実施例２に係る唾液飛散防止装置を使用した後、廃棄するに際しては、把持部２０を使用前の状態に戻し、コート紙２１の上面を左方切り込み線６及び右方切り込み線７に沿ってコート紙２１の下面手前側に折り曲げ、ガイド部２２の上端をスリット部２５に差し込んで全体を二つ折りにした後、ガイド部２２をコート紙２１の下辺に沿って折り曲げると、図４の状態となりガイド部２２がスリット部２５に固定される。
そのため、廃棄時及び廃棄後に唾液飛散防止装置が開いてしまうことがないので、唾液の付着し易い部分が表に晒されてしまうことがなく衛生的である。
なお、実施例２に係る唾液飛散防止装置の製造手順は、切断される部分（ガイド部２２の左右辺及びスリット部２５）と、折り目をつける部分（左上部折り曲げ線２３及び右上部折り曲げ線２４）が多い点だけで異なり、実施例１の手順と工程数は変わらない。
【実施例３】
【００２２】
図５は実施例３に係る唾液飛散防止装置の使用前における平面図である。
実施例３に係る唾液飛散防止装置は、実施例１の上辺が弧状になっているコート紙３１からなっている点、左方切り込み線６と右方切り込み線７の長さが５４ｍｍになっている点、左折り曲げ線１０と右折り曲げ線１１が中央線１８と平行に設けられている点、左方差し込み線１６と右方差し込み線１７の位置と長さが異なる点、左折り曲げ線１０の２０ｍｍ左側に、左折り曲げ線１０と平行に左方切り込み線６から真下へ長さ２１ｍｍの左上切り込み線３２が設けられている点、左折り曲げ線１０の２０ｍｍ左側に、コート紙３１の下辺から真上へ長さ２１ｍｍの左下切り込み線３３が設けられている点、右折り曲げ線１１の２０ｍｍ右側に、右方切り込み線６から真下へ長さ２１ｍｍの右上切り込み線３４が設けられている点及び右折り曲げ線１１の２０ｍｍ右側に、コート紙３１の下辺から真上へ長さ２１ｍｍの右下切り込み線３５が設けられている点で、実施例１に係る唾液飛散防止装置と相違している。
そして、左方切り込み線６と右方切り込み線７、左折り曲げ線１０と右折り曲げ線１１及び左方差し込み線１６と右方差し込み線１７については、長さや配置が若干異なるものの、その使用方法は実施例１と同様なので、図５においても図１に示す番号と同じ番号を付し、それらの構成要素については説明を省略する。
【００２３】
図６は実施例３に係る唾液飛散防止装置の組み立て中における平面図であり、図７は実施例３に係る唾液飛散防止装置の使用時における平面図である。
実施例３に係る唾液飛散防止装置を使用するに際しては、実施例１と同様に左方切り込み線６の下部及び右方切り込み線７の下部を中央線１８側に折り曲げるとともに、左方差し込み線１６に右方差し込み線１７を差し込んで、左折り曲げ線１０及び右折り曲げ線１１に沿って完全に折り畳むと、左方差し込み線１６と右方差し込み線１７が一直線になり、中央線１８と合致して図６のような状態になる。
この状態から左上切り込み線３２と右上切り込み線３４の下端を結ぶ線分に沿って、把持部２０の中央上部を内側に折込み、また、左下切り込み線３３と右下切り込み線３５の上端を結ぶ線分に沿って、把持部２０の中央下部を内側に折込むと、図７の状態になる。
そうすると、把持部２０はその形状が崩れることなく、安定した状態に保持されるので、把持部２０がつかみ易くなり、鼻の穴及び口を迅速に覆うことができる。
なお、実施例３に係る唾液飛散防止装置の製造手順は、切断される部分（左上切り込み線３２、左下切り込み線３３、右上切り込み線３４及び右下切り込み線３５）が多い点だけで異なり、実施例１の手順と工程数は変わらない。
【００２４】
実施例１〜３の変形例を列記する。
なお、図８は、各種変形例に係る唾液飛散防止装置の使用前における平面図である。
（１）実施例１〜３の唾液飛散防止装置には、厚さ０．２ｍｍ程度で、利用者の手前側になる面はある程度の吸水性を有し、その反対側の面には撥水加工が施されているコート紙１、２１及び３１を用いたが、厚さ０．１ｍｍ〜０．２ｍｍ程度のアート紙、マット紙又は上質紙、厚さ０．２ｍｍ〜０．８ｍｍ程度のケント紙、板紙又はボール紙等、一般に利用されている柔軟性のある板状体であれば、どんなものを用いても良い。
（２）実施例１の唾液飛散防止装置は、縦２００ｍｍ、横１８２ｍｍの長方形状のコート紙１からなり、実施例２及び３の唾液飛散防止装置は、実施例１と同様の寸法で上辺を弧状としたコート紙２１及び３１からなっていたが、縦横の寸法は適宜変更可能である。
例えば、左方点と右方点を結ぶ線と上端との距離は、鼻の頭から下唇までの長さ（４０ｍｍ〜７０ｍｍ程度）より長く、鼻の上部からみぞおちまでの長さ（２００ｍｍ〜３５０ｍｍ程度）より短ければ良く、左方点と右方点を結ぶ線と下端との距離は、手指で持てる長さの範囲（３０ｍｍ〜１５０ｍｍ程度）であれば良い。また、上部の左辺と右辺との距離は、口の幅（５０ｍｍ〜７０ｍｍ程度）より長く、胸の幅（２００ｍｍ〜４００ｍｍ程度）より短ければ良く、下部の左辺と右辺との距離は、両側を折り曲げた時に手指で持てる長さの範囲（９０ｍｍ〜３００ｍｍ程度）であれば良い。
さらに、コート紙１、２１及び３１の形状は、左辺、右辺、上辺及び下辺を有する長方形、正方形及び台形等の四角形を基本としたものであれば良く、四隅部分は切り落としたり、丸みをつけたりしたものでも良い。
【００２５】
（３）実施例１〜３においては、左折り曲げ線１０と右折り曲げ線１１及び左方差し込み線１６と右方差し込み線１７が設けられていたが、例えば、図８（Ａ）に示すように、これらは設けなくても良い。
そうした場合、左方点４及び右方点５を基準として、左方切り込み線６及び右方切り込み線７の下部を、それぞれ中央線１８側に適宜折り畳んだり丸めたりすれば良い。
（４）実施例１〜３においては、左辺及び右辺の下端から９５ｍｍの箇所を、それぞれ左辺点２及び右辺点３とし、左辺点２と右辺点３を結ぶ線分上で左辺及び右辺から同じ長さ（実施例１、２では５０ｍｍ、実施例３では５４ｍｍ）の箇所を、それぞれ左方点４及び右方点５としたが、例えば、図８（Ｂ）及び（Ｃ）に示すように、左辺及び右辺から異なる長さの箇所を、それぞれ左方点４及び右方点５としても良い。
また、左方切り込み線６は左辺点２から左方点４まで直線状に延び、右方切り込み線７は右辺点３から右方点５まで直線状に延びていたが、図８（Ｄ）に示す折れ線状や曲線状に延びていても良く、左右非対称であっても良い。
【００２６】
（５）実施例１〜３においては、左辺及び右辺の下端から９５ｍｍの箇所を、それぞれ左辺点２及び右辺点３とし、左方点４及び右方点５を左辺点２と右辺点３を結ぶ線分上の点としたが、左辺点２及び右辺点３の高さと左方点４及び右方点５の高さは、例えば、図８（Ｅ）及び（Ｆ）に示すように、異なっていても良い。
そして、変形例（１）及び（４）を合わせ考えると、左辺点２と右辺点３は、板状体の上下方向の中央線１８に直交する直線と左辺及び右辺との交点と定義し、左方点４及び右方点５は、中央線１８又は中央線１８に平行で中央線１８の近傍にある中央近傍直線に対して対称で板状体の中央部付近に配置された点と定義づけられる。
例えば、図８（Ｂ）における中央近傍直線は、中央線１８に平行で中央線１８より右側に５ｍｍずれている直線となり、図８（Ｃ）における中央近傍直線は、中央線１８に平行で中央線１８より左側に５ｍｍずれている直線となる。
そのため、図８（Ｂ）の唾液飛散防止装置は、上辺の中央を鼻の上に配した場合、把持部２０が少し右側に位置することになるので、右手で持った場合に腕が疲れにくく、図８（Ｃ）の唾液飛散防止装置は、把持部２０が少し左側に位置することになるので、左手で持った場合に腕が疲れにくい。
また、左方点４と右方点５との距離が大きすぎると、把持部２０に重なり合った部分がなくなって使いづらく、小さすぎると把持部２０でコート紙１の上部を保持できなくなるので、左辺点２と右辺点３との距離（実施例１〜３の場合、左辺と右辺との距離）は、左方点４と右方点５との距離の１．８倍以上５倍以内とする必要があり、２倍以上４倍以内であるとより良く、２．２倍以上３倍以内が最適である。
【００２７】
（６）実施例１〜３においては、左差し込み始点１２が下辺上に、右差し込み始点１３が右方切り込み線７上に位置していたが、左差し込み始点１２を左方切り込み線６上に位置させ、右差し込み始点１３を下辺上に位置させても良い。
（７）実施例１〜３においては、左方差し込み線１６と右方差し込み線１７が設けられていたが、例えば、図８（Ａ）〜（Ｆ）に示すように、これらは設けなくても良い。
また、実施例１〜３の左方差し込み線１６は、左差し込み始点１２から左差し込み終点１４まで切断されており、右方差し込み線１７は、右差し込み始点１３から右差し込み終点１５まで切断されていたが、左方差し込み線１６は左差し込み終点１４を超えた所（ただし、左方切り込み線６より下）まで切断されていても良く、右方差し込み線１７は、右差し込み終点１５を超えた所（ただし、下辺より上）まで切断されていても良い。
（８）実施例１〜３の左方差し込み線１６は、左差し込み始点１２から真上に左差し込み終点１４まで切断されており、右方差し込み線１７は、右差し込み始点１３から真下に右差し込み終点１５まで切断されていたが、図８（Ｇ）〜（Ｉ）に示すように、左差し込み始点１２を下辺の左端から左下辺点８までの任意の点とし、右差し込み始点１３を右方切り込み線７上の任意の点とすることが可能である。
【００２８】
（９）実施例２においては、上辺の中央部付近に台形状のガイド部２２、コート紙２１の下辺中央部にスリット部２５を設けて、唾液飛散防止装置を廃棄する際に、ガイド部２２の上端をスリット部２５に差し込んで折り曲げることによって、ガイド部２２をスリット部２５に固定したが、ガイド部２２を上底が下底よりも短い台形状とし、スリット部２５の長さをガイド部２２の上底より長く下底よりも短くして、ガイド部２２をスリット部２５に押し込むだけで固定できるようにしても良い。
また、ガイド部２２とスリット２５の組合せに限らず、下辺の近くや把持部２０の手前側に両面粘着テープを貼っておき、唾液飛散防止装置を廃棄する際には、両面粘着テープの剥離部を剥ぎ、コート紙１、２１、３１の上面側を貼り付けて固定しても良い。
【符号の説明】
【００２９】
１、２１、３１  コート紙      ２  左辺点      ３  右辺点      ４  左方点
５  右方点      ６  左方切り込み線      ７  右方切り込み線
８  左下辺点      ９  右下辺点      １０  左折り曲げ線      １１  右折り曲げ線
１２  左差し込み始点      １３  右差し込み始点      １４  左差し込み終点
１５  右差し込み終点      １６  左方差し込み線      １７  右方差し込み線
１８  中央線      １９  所定点      ２０  把持部      ２２  ガイド部
２３  左上部折り曲げ線      ２４  右上部折り曲げ線      ２５  スリット部
３２  左上切り込み線      ３３  左下切り込み線
３４  右上切り込み線      ３５  右下切り込み線
【図１】
0003228832.tif 000003
【図２】
0003228832.tif 000004
【図３】
0003228832.tif 000005
【図４】
0003228832.tif 000006
【図５】
0003228832.tif 000007
【図６】
0003228832.tif 000008
【図７】
0003228832.tif 000009
【図８】
0003228832.tif 000010